Podtech/llm-jp-corpus-v4-ja_patent huggingface dataset:
(57)【要約】【課題】油分、湿気を多く含んだホコリにおいても確実に屋外へ排出されることができる空気調和機の排気排塵ダクトを提供すること。【解決手段】本発明の空気調和機の排気排塵ダクトは、換気ホースの先端に取り付けられ内部に風回路を形成する軸部と、軸部の端部に通風時に開く流路開閉蓋とを備え、軸部内に設けた風回路の下面は、流路開閉蓋に近づくにつれて斜め上方に傾斜させたことにより、軸部の先端部の面積を小さくする事で、ホコリを排出する時には、風の流速があがり、流路開閉蓋が、開きやすくなり確実に屋外へホコリを排出することができる。【選択図】図２
2012002437.tif 000002
【特許請求の範囲】
【請求項１】
換気ホースの先端に取り付けられ内部に風回路を形成する軸部と、前記軸部の端部に通風時に開く流路開閉蓋とを備え、前記軸部内に設けた風回路の下面は、前記流路開閉蓋に近づくにつれて斜め上方に傾斜させたことを特徴とする空気調和機の排気排塵ダクト。
【発明の詳細な説明】
【技術分野】
【０００１】
本発明は、換気機能や、エアフィルタ自動清掃・ホコリ排出機能を有する空気調和機に接続された換気ホースの先端に設けられる排気排塵ダクトに関するものである。
【背景技術】
【０００２】
従来、この種の空気調和機の排気排塵ダクトとして、図３、図４に示されるようなものがあった。図３は、従来の空気調和機の排気排塵ダクトの斜視図、図４は、同排気排塵ダクトのカフス１を外した状態の斜視図、図５は、同排気俳塵ダクトの側面図である。
【０００３】
図３、図４において、従来の空気調和機の排気排塵ダクトは、換気ホース（図示せず）の先端に係止される筒状の軸部２と、軸部２の先端に回動自在に取着された流路開閉蓋３と、流路開閉蓋３を覆うように軸部２の先端に取着されたカフス１から構成され、通常は、流路開閉蓋３が、軸部２の端面などに当接して封止しており、空気調和機で、換気機能や、エアフィルタの自動清掃機能を動作させたときに、換気機能動作時の風圧や、エアフィルタより除去されたホコリを換気ホースを通して外部に排出するときの風圧で、流路開閉蓋３が開き、室内の空気や、除去されホコリが、排気排塵ダクトより屋外へ排出される構造となっている（例えば、特許文献１参照）。
【先行技術文献】
【特許文献】
【０００４】
【特許文献１】特開２００６−１４５１０８号公報
【発明の概要】
【発明が解決しようとする課題】
【０００５】
しかしながら、前記従来の空気調和機の排気排塵ダクトの構成では、屋内側からのホコリを屋外側へ排出する際は、換気機能動作時の風圧や、エアフィルタより除去されたホコリを外部に排出するときの風圧で、流路開閉蓋３が開き、室内の空気や除去されたホコリを排気排塵ダクトより屋外へ排出されるが、油分を多く含んだホコリや湿気を多く含んだホコリなどによっては、排気排塵ダクト内に堆積しやすく、その結果、通風抵抗が増大し、風圧低下するとともに、流路開閉蓋３が、開きにくくなってしまうという課題があった。
【０００６】
本発明は、前記従来の課題を解決するもので、油分、湿気を多く含んだホコリにおいても確実に屋外へ排出されることができる空気調和機の排気排塵ダクトを提供することを目的とする。
【課題を解決するための手段】
【０００７】
前記従来の課題を解決するために、本発明の空気調和機の排気排塵ダクトは、換気ホースの先端に取り付けられ内部に風回路を形成する軸部と、軸部の端部に通風時に開く流路開閉蓋とを備え、軸部内に設けた風回路の下面は、流路開閉蓋に近づくにつれて斜め上方に傾斜させたことにより、軸部の先端部の面積を小さくする事で、ホコリを排出する時には、風の流速があがり、流路開閉蓋が、開きやすくなり確実に屋外へホコリを排出することができる。
【発明の効果】
【０００８】
本発明は、油分、湿気を多く含んだホコリにおいても確実に屋外へ排出されることができる空気調和機の排気排塵ダクトを提供することができる。
【図面の簡単な説明】
【０００９】
【図１】本発明の実施の形態１における排気排塵ダクトの側面図
【図２】同実施の形態１における排気俳塵ダクトの断面図
【図３】従来の排気排塵ダクトの斜視図
【図４】従来の排気排塵ダクトの斜視図
【図５】従来の排気排塵ダクトの側面図
【発明を実施するための形態】
【００１０】
第１の発明の空気調和機の排気排塵ダクトは、換気ホースの先端に取り付けられ内部に風回路を形成する軸部と、軸部の端部に通風時に開く流路開閉蓋とを備え、軸部内に設けた風回路の下面は、流路開閉蓋に近づくにつれて斜め上方に傾斜させたことにより、軸部の先端部の面積を小さくする事で、ホコリを排出する時には、風の流速があがり、流路開閉蓋が、開きやすくなり確実に屋外へホコリを排出することができる。
【００１１】
以下、本発明の実施の形態について、図面を参照しながら説明する。なお、この実施の形態によって本発明が限定されるものではない。
【００１２】
（実施の形態１）
図１および図２は本実施の形態１における空気調和機の排気排塵ダクトの側面図および断面図である。図１および図２を用いて本実施の形態１における排気排塵ダクトの構成について説明する。なお、従来の排気排塵ダクトと同一部分については、同一符号を用いてその説明を省略する。
【００１３】
図１に示すように、本実施の形態１における排気排塵ダクトは、端部を換気ホース（図示せず、図面向かって右側）に接続する軸部２を有しており、軸部２の他端には流路を開閉する流路開閉蓋３が取り付けられている。
【００１４】
また、図２に示すように、軸部２の内部には内から外へ排気されるように風回路が形成されており、風回路の下面は斜面４を形成している。そして、斜面４は流路開閉蓋３に近づくにつれて斜め上方へ傾斜させている。
【００１５】
以上のように構成された排気排塵ダクトについて、以下、動作について説明する。なお、本実施の形態ではエアフィルタ自動掃除機能時について説明するが、単純な換気動作時であっても同様である。
【００１６】
まず、空気調和機に内蔵されたエアフィルタ自動掃除機能が動作すると、換気ファンが駆動するとともに、換気ホース（図示せず）を通して外部へ排気される。このとき、風が発生し、流路開閉蓋３が開いて、外部へ塵埃が排出される。
【００１７】
このとき、本実施の形態のように風回路を端部に近づくにつれて斜め上方に斜面を設けることで、軸部２の端部側の面積が小さくなるため、風速があがる。そのため、油分や湿気を多く含んだホコリを円滑に排出することができる。
【産業上の利用可能性】
【００１８】
本発明の空気調和機の排気排塵ダンパーは、エアフィルタ自動掃除機能で除去されたホコリを、換気ホースを介して確実に屋外に排出させることができ、エアフィルタ掃除機能を搭載した空気調和機などの用途に広く適用できる。
【符号の説明】
【００１９】
１  カフス
２  軸部
３  流路開閉蓋
４  斜面
【図１】
2012002437.tif 000003
【図２】
2012002437.tif 000004
【図３】
2012002437.tif 000005
【図４】
2012002437.tif 000006
【図５】
2012002437.tif 000007
(57)【要約】【課題】障害者が外出して、路上にオ−トバイ駐車するときに、駐車禁止除外証を見えると所に呈示しなければなりません、駐車禁止除外証が、盗難にあわないためにも、駐車禁止除外証防止フレ−ムを、提供する。【解決手段】オ−バイと、駐車禁止除外証を、５ｍｍステンレ−ス鎖、真鍮４０ｍｍ南京滋養で、施錠する為の、ステンレ−ス５ｍｍ丸金具、１ステンレ−ス枠、２駐車禁止除外証を、保護する為の、硬質プラスチック、３駐車禁止除外証を、枠に、収めて蓋をする為のステンレ−スエンド金具、４ステンレ−ス枠とステンレ−スエンド金具を固定する為のステンレ−ス５ｍｍボルト、ナット５ステンレ−ス枠と、ステンレ−スエンド金具を施錠する為の真鍮３０ｍｍ南京錠、６を設けた、駐車禁止除外証盗難フレ−ムは、警察官、駐車監視員が、裏面の住所氏名も、確認しやすく、コンパクトで、簡単に施錠できて、盗難されにくいのを特徴とする。【選択図】図２
2012002052.tif 000002
【特許請求の範囲】
【請求項１】
１、ステンレ−ス５ｍｍ丸金具２、ステンレ−ス枠３、硬質プラスチック４、ステンレ−スエンド金具５、ステンレ−ス５ｍｍボルト、ナット６、真鍮３０ｍｍ南京錠
２、施錠部品を含む硬質プラスチック枠４、硬質プラスチックエンド部品
上記の部品を使用して、図２のように組み立てた、駐車禁止除外証盗難防止フレ−ム。
【発明の詳細な説明】
【技術分野】
【０００１】この発明は、駐車禁止除外証を、盗難から、南京錠を使用して守る、駐車禁止除外証盗難防止フレ−ムに関するものである。
【背景技術】
【０００２】駐車禁止除外証盗難防止フレームが、無かった為次のような、試作を作りました、硬質プラスチクに穴を、１１ヶ所穴を空け、四隅をボルト、ナットで留めて、７か所を南京錠で留めました。
【発明の開示】
【発明が解決しようとする課題】
【０００３】これは、次のような欠点があった。四方側面にコウキングで防水を施しても、すぐ剥がれてしま雨の日には使用できません。穴を１１ヶ所空けるのも大変です、南京錠で７か所も施錠するのは無駄である。本発明は、以上のような欠点をなくすためになされたものである。
【課題を解決するための手段】
【０００４】駐車禁止除外証盗難防止フレ−ムとオ−トバイを５ｍｍステンレ−スの鎖と真鍮４０ｍｍ南京錠で施錠する為のステンレ−ス５ｍｍ丸金具、１硬質プラスチック四方側面にコ−キングで防水した箇所を保護する為のステンレ−ス枠２、駐車禁止除外証を保護する為の硬質プラスチック３、駐車禁止除外証を枠に収めて蓋をする為のステンレ−スエンド金具４、ステンレ−ス枠とステンレ−スエンド金具を固定する為のステンレ−ス５ｍｍボルト、ナット５、ステンレ−ス枠とステンレ−スエンド金具施錠する為の真鍮３０ｍｍ南京錠６、
本発明は、以上の構成よりなる駐車禁止除外証盗難防止フレ−ムである。
【発明の効果】
【０００５】障害者が外室して、路上にオ−トバイを駐車するときには見えるところに、駐車禁止除外証の提示が執拗である。駐車禁止除外証を盗難に遭うと、東京都公安委員会から容易再交付をしてもらえません。
駐車禁止除外証盗難防止フレ−ムを、５ｍｍのステンレ−スの鎖と南京錠で施錠すれば盗難されない。
【発明を実施するための最良の形態】
【０００６】以下、本発明を実施するための最良の形態について説明する
オ−トバイと駐車禁止除外盗難証防止フレ−ムを施錠する為の丸金具１、硬質プラスチックの四方側面にコ−キングで防水をした箇所を保護する為のステンレ−ス枠２、駐車禁止除外証を保護する為の硬質プラスチック３、駐車禁止除外証を枠に収めて蓋をする為のステンレ−スエンド金具４、ステンレ−ス枠とステンレ−スエンド金具を固定する為のボルト、ナット５、ステンレ−ス枠とエンド金具を施錠する為の真鍮３０ｍｍ南京錠６、
本発明は、以上のような構造である。
これを使用するときは、安全な所に駐車して、駐車禁止除外証盗難防止フレ−ムとオ−バイを５ｍｍステンレ−スの鎖と真鍮４０ｍｍ南京錠を使用して施錠する、これで盗難から免れるのである。
【図面の簡単な説明】
【０００７】
【図１】本発明の組み立て図である。
【図２】本発明の組み立て完成図である
【符号の説明】
【０００８】１  ステンレ−ス５ｍｍ丸金具
２  ステンレ−ス枠
３  硬質プラスチック
４  ステンレ−スエンド金具
５  ステンレ−ス５ｍｍボルト、ナット
６  真鍮３０ｍｍ南京錠
【図１】
2012002052.tif 000003
【図２】
2012002052.tif 000004
【手続補正書】
【提出日】平成22年11月9日(2010.11.9)
【手続補正１】
【補正対象書類名】明細書
【補正対象項目名】０００３
【補正方法】変更
【補正の内容】
【０００３】これは、次のような欠点があった。四方側面にコウキングで、防水を施しても、すぐ剥がれてしまい、雨の日には使用できません、穴を１１ヶ所空けるのも大変です、南京錠で７ヶ所も施錠するのは無駄である、本発明は、以上のような欠点を無くすためになされたものです。
【手続補正２】
【補正対象書類名】明細書
【補正対象項目名】０００５
【補正方法】変更
【補正の内容】
【０００５】障害者が外出して、路上にオートバイを駐車するときには、見えるところに駐車禁止除外証の提示が執拗である。駐車禁止除外証を盗難にあうと、東京都公安委員会から容易には、再交付をしてもらえません。駐車禁止除外証盗難防止フレームを、５ｍｍのステンレース鎖と南京錠で、オートバイに施錠すれば盗離されません。
(57)【要約】【課題】  少子高齢化により、代々続くことの前提がくずれ、先祖の墓を守ることができなくなり、これから未来に向かって、自分個人が亡くなった時に入る墓を生前に用意するために、一代個人用墓石を提供する。【解決手段】  （イ）墓碑（１）に傾斜をつけ、上から名前を確認しやすくする。  （ロ）フタ兼用台石（２）に墓碑（１）を乗せ接着剤で固定する。  （ハ）納骨堂前石板（４）、納骨堂横石板（３）、納骨堂後石板（５）を組んで接着剤で固定し納骨スペースを作る。  （ニ）土台石（６）の上に納骨堂石板（３）（４）（５）で組んだ箱を乗せ、接着剤で下部を固定する。  （ホ）納骨後、墓碑（１）付きフタ兼用台石（２）を乗せ、接着剤で密封固定する。  （ヘ）土台石（６）に通気穴（７）をあける。その穴に虫の進入を防ぐ為、フィルター（８）を取り付ける。  本発明は以上のように構成された組み立て式納骨堂一体型墓石である。【選択図】図１
2012002050.tif 000002
【特許請求の範囲】
【請求項１】
墓碑（１）に傾斜をつけ、フタ兼用台石（２）に乗せ固定する。納骨堂前石板（４）、納骨堂横石板（３）、納骨堂後石板（５）を組み合わせ納骨スペースを作りそれを土台石（６）に乗せ固定する。
納骨後、墓碑（１）を取り付けたフタ兼用台石（２）を乗せ、固定し納骨室を密封する。
土台石（６）に通気穴（７）をあける。その穴に虫の進入を防ぐ為、フィルター（８）を取り付ける。
固定はすべて接着剤を使用する。以上を備えた一代の個人用墓石である。
【発明の詳細な説明】
【技術分野】
【０００１】  本発明は、一代限り個人用組み立て式納骨堂一体型墓石の形状に関するものである。
従来の墓は、先祖代々続くことを前提としているが、少子高齢化が進み、これからは墓を維持することが難しくなってきた。
この発明は、後継者がいない人の一代限りの個人用の墓であり、骨壺・位牌が収容できるだけの大きさですむため、墓石・墓地とも小さくてすむので、価格も低額で、墓の構造も簡単で、設置もできて、地震にも強いことを特徴とする一代個人用墓石に関するものである。
【背景技術】
【０００２】  従来、個人用として、ロッカー式室内骨壇や野外集合合葬式の墓があった。
【先行技術文献】
【０００３】
【特許文献１】      特開平−２３４４５５
【特許文献２】      特開平−１９１６９７
【発明の概要】
【発明が解決しようとする課題】
【０００４】  そのため、次のような問題があった。
墓は、先祖代々続くことを前提としているため、寺で決めた区画でしか墓地が建てられず、後継者がいない人でも同じ区画で購入しなければならず、無駄になることがあった。
本発明は、これらの問題を解決するためになされたものである。
そこで、この発明は一代限り、個人用とすることで、小さな墓ですみ、墓石・墓地と安価に提供できるように工夫した。
【課題を解決するための手段】
【０００５】  （イ）墓碑（１）に傾斜をつけ、上から名前を確認しやすくする。
（ロ）フタ兼用台石（２）に墓碑（１）を乗せ接着剤で固定する。
（ハ）納骨堂前石板（４）、納骨堂横石板（３）、納骨堂後石板（５）を組んで接着剤で固定し納骨スペースを作る。
（ニ）土台石（６）の上に納骨堂石板（３）（４）（５）で組んだ箱を乗せ、接着剤で下部を固定する。
（ホ）納骨後、墓碑（１）付きフタ兼用台石（２）を乗せ、接着剤で密封固定する。
（ヘ）土台石（６）に通気穴（７）をあける。その穴に虫の進入を防ぐ為、フィルター（８）を取り付ける。
本発明は以上のように構成された組み立て式納骨堂一体型墓石である。
【発明の効果】
【０００６】  本発明は、一代限り、個人用とすることで、墓石を小さくでき、そのことにより、墓地の面積が少なくて済む。墓石の設置も簡単で地震にも強く安価な墓石が出来る。
また、現在ある墓のような土中に納骨しないため、納骨堂内が湿気やカビで汚れる事を抑え清潔に保てる。
【図面の簡単な説明】
【０００７】
【図１】  本発明の組み立て式墓石の立体構造を示す分解斜視図である
【図２】  本発明の納骨堂組み立ての斜視図である
【図３】  本発明の納骨堂分解斜視図である
【０００８】  以下本発明の実施の形態について説明する。
（イ）墓碑（１）に傾斜をつけ、上から名前を確認しやすくする。
（ロ）フタ兼用台石（２）に墓碑（１）を乗せ接着剤で固定する。
（ハ）納骨堂前石板（４）、納骨堂横石板（３）、納骨堂後石板（５）を組んで接着剤で固定し納骨スペースを作る。
（ニ）土台石（６）の上に納骨堂石板（３）（４）（５）で組んだ箱を乗せ、接着剤で下部を固定する。
（ホ）納骨後、墓碑（１）付きフタ兼用台石（２）を乗せ、接着剤で密封固定する。
（ヘ）土台石（６）に通気穴（７）をあける。その穴に虫の進入を防ぐ為、フィルター（８）を取り付ける。
本発明は以上のような構成である。
設置はどこにでも簡単に置けて便利である。
従来、土中に納骨室を作るため、湿気でカビや虫など納骨室が汚れてきたなかったが、石の中に密封する事で清潔に保つことができる。
佛が先祖になる三十三回忌まで清潔に安心して使用でき、墓石が必要でなくなった時、粉砕処理がしやすく、後処理が簡単である。
一代限り個人用として、後継者のいない人のために必要である。
【符号の説明】
【０００９】１  墓碑                    ７  通気穴
２  フタ兼用台石            ８  フィルター
３  納骨室横石板
４  納骨室前石板
５  納骨室後石板
６  土台石
【図１】
2012002050.tif 000003
【図２】
2012002050.tif 000004
【図３】
2012002050.tif 000005
(57)【要約】      （修正有）【課題】例えば、ゴルフプレーにおいて、通常の両眼の範囲の視野で見ても芝目の正しい状態を把握することは困難であった。【解決手段】暗室を有する筒状体の外周側方に眼鏡用の耳掛け部材４を備えると共に、筒状体の耳掛け部材側の耳掛け部材の内側寄りの外周面に接眼レンズを左右に備える一方、接眼レンズの反対側の外周面に、接眼レンズよりも左右の外側寄りに対物レンズ３を設け、更に暗室内には対物レンズから接眼レンズの方向に映像を送るためのミラー又は、プリズムを備えたことを特徴とする眼鏡である。【選択図】図１
2012194350.tif 000002
【特許請求の範囲】
【請求項１】
暗室を有する筒状体の長手方向の側方に眼鏡用の耳掛け部材を備えると共に前記筒状体の耳掛け部材側の該耳掛け部材の内側寄りの外周面に接眼レンズを左右に備える一方、前記筒状体の耳掛け部材の反対側の外周面に接眼レンズよりも左右の外側寄りに対物レンズを設け、更に前記案室内には対物レンズから接眼レンズの方向に映像を送るためのミラー又は、プリズムを備えたことを特徴とする眼鏡。  
【発明の詳細な説明】
【技術分野】
【０００１】
本考案は視野の幅を広くすることができる眼鏡に関する。        
【背景技術】
【０００２】
ゴルフのプレーにおいてゴルフボールや芝目の状態を観察するのは通常は両眼に
よって、その両眼の範囲でしか見ることができなかった。又、野球の場合は、早く上下左右にゆれて投げられてくるボールをすばやく肉眼で見て見てバットで打ち返えさねばならず、大変難しいことである。
【発明の概要】
【発明が解決しようとする課題】
【０００３】
しかし、通常の両眼の範囲の視野で見ても芝目の正しい状態を把握することは困難であり、グリーン上において、思うようにカップインすることは難しかった。又、野球においても早く変化してくる投球をヒットすることは難しいことである。
【課題を解決するための手段】
【０００４】
本願発明は、暗室を有する筒状体の外周側方に眼鏡用の耳掛け部材を備えるとともに前記筒状体の耳掛け部材側の該耳掛け部材の内側よりの外周面に接眼レンズを左右に備える一方、前記接眼レンズの反対側の外周面に接眼レンズよりも左右の外側よりに対物レンズを設け、更に前記暗室内には対物レンズから接眼レンズの方向に映像を送るためのミラー又は、プリズムを備えたことを特徴とする眼鏡である。
【０００５】
筒状体としては薄いプラスチック製を想定し内部には反射板やプリズムを内臓し
同時に余分な光線を遮る役をはたすために筒状体の外壁が働いている。
対物レンズや接眼レンズはやはりプラスチック製を想定し軽量化を考える。筒状体は円筒状で、あるが多角形状で良くデザイン考案の自由性はある。
ミラーは反射板としてプリズムは屈折板として何れもプラスチック製
これらは最低限必要と思われるがレンズ類はルミネッセンス感光剤の使用により省略の可能性がある。レンズは望遠鏡の構成のために必要であるが、軽量化のためにはできるだけ避けたい部材である。映像の明暗により遠近及び傾斜をよむこよができるからである。感光剤は蒸留加工または薫丞加工によりミラー板を加工。
【発明の効果】
【０００６】
この発明に係る眼鏡を用いることにより、ゴルフにおける芝目や、野球における
ボールを広い感覚でプレーヤー自身が観察できるため被対称物の状態を詳細に見る事ができ失敗を減らすことができる。                        
【図面の簡単な説明】
【０００７】
【図１】本発明眼鏡の斜視図
【図２】本発明眼鏡の左側面図
【図３】図１のＡ―Ａ矢視図
【図４】図１の他の実施例のＡ―Ａ矢視図
【図５】視野の広さの模式図であり(１)は従来の肉眼で見た場合、(２)は本発明の眼鏡を使用した場合を示す図
【符号の説明】
【０００８】
１本発明の眼鏡            
２本体                    
３対物レンズ              
４耳掛け部材              
５鼻あて                
６接眼レンズ        
７本発明の眼鏡      
８ミラー        
９ミラー                    
１０プリズム
１１目
【発明を実施するための形態】
【実施例】
【０００９】
図１−図5に基いて以下、詳細に説明する。
図１について筒状体２は外部に耳掛け部材４を備え内部にはミラー８．９、７はプリズム１０からなる反射板をそなえている。そして同時に外部の余分な光線を遮り眼鏡としての役割を果たしている。自然の裸眼の視線を遮る事により対象象物が二重に見えるのを防いでいる。3の光線取入れ口は両眼の外側にあり自然の目の幅より視野が広くなっている。
又筒状体(２)の重量を減らすため左右の筒状体の２個とし中央部を省き線状の金具などでつなぐことが可能である。
図２は筒状体２の左側の側面図でありその外部には耳掛け部材と鼻当て5が示されている。
図３はつつ状体のＡ―Ａ矢視図であり光線が対物レンズ３よりはいって反射を重ねて目１１に達するのがわかる。  
図４は筒状体のＡーＡ矢視図であるがもう1つの例を示している。これはミラーによる  反射板ではなくプリズム１０を用いた場合の説明となっている。
図５(１)は従来の見方を示すめす  (２)は本発明の眼鏡を用いたときの視線の模式図である。
又筒状体の直径は２６ｍｍ−３０ｍｍ長さは１５０ｍｍ程度焦点距離は必要に応じて決められるがゴルフ用の場合は５ｍ程度とするのがよい。
本提案では焦点距離は一応必要ではないが参考までに示す。
【図１】
2012194350.tif 000003
【図２】
2012194350.tif 000004
【図３】
2012194350.tif 000005
【図４】
2012194350.tif 000006
【図５】
2012194350.tif 000007
(57)【要約】      （修正有）【課題】過硫酸アンモニウム水溶液が自己分解が進んだ状態になり分解した生成物により吸光度が変化した状態でも正確に測定できる過硫酸アンモニウム水溶液の濃度測定方法を提供する。【解決手段】自己分解が進んだ状態での過硫酸アンモニウムの濃度を、ポンプ等で循環供給するラインで、フローセルを利用して、紫外線領域における３００〜３５０ｎｍの吸光度により濃度測定を行うことを特徴とする。【選択図】図２
2012194166.tif 000002
【特許請求の範囲】
【請求項１】
過硫酸アンモニウム水溶液を紫外線領域３００〜３５０ｎｍの吸光度により濃度測定する方法。
【請求項２】
本方法を用いてフローセルを利用しインラインで濃度測定を行う方法。
【発明の詳細な説明】
【技術分野】
【０００１】  本発明は水溶液中の過硫酸アンモニウムの濃度を測定する方法に関するものである。
【背景技術】
【０００２】  従来、過硫酸アンモニウム水溶液の濃度を測定する方法として滴定法が適していたがインラインで測定するには、その機構および手順が煩雑であった。【０００３】  またインラインで無機電解質水溶液の成分濃度測定として８００〜１４００ｎｍの近赤外線領域における吸光度から定量を行う方法はあった（特許文献１参照）
【特許文献１】  特許第３２９０９８２号
【発明の開示】
【発明が解決しようとする課題】
【０００４】  この方法には次の欠点があった。すなわち水溶液を作成した直後には問題はないが時間が経過し自己分解が進んだ状態での過硫酸アンモニウム水溶液では分解した生成物により吸光度が変化し正確に濃度が測定できなかった。時間の経過による滴定法と吸光度による定量の誤差を図１に示す。
【課題を解決するための手段】
【０００５】  紫外線領域における３００〜３５０ｎｍの吸光度により濃度測定を行うことで自己分解が進んだ状態での過硫酸アンモニウムの濃度を正確に測定できる。【０００６】  ３２０ｎｍにより１、５、１０、２０、３０、４０ｗｔ％の検量線を作成し分解劣化させた過硫酸アンモニウム水溶液を定量分析した結果は滴定の濃度と一致していることを確認した。各濃度の水溶液を３２０ｎｍおよび１１４６ｎｍの吸光度により濃度測定を行った結果を図２および図３に示す。
【発明の効果】
【０００７】  過硫酸アンモニウムは半導体製造過程におけるＣＭＰ処理で酸化剤として使用されるが分解が早いために従来の方法では正確な濃度が測定できずに一定時間後に廃棄していた。
本発明の方法によれば分解過程での濃度を正確に測定できるため廃棄する時間を遅らせることが出来るため溶液の有効利用、廃液処理の減少によりコストの削減が行える。
【発明を実施するための最良の形態】
【０００８】  過硫酸アンモニウム水溶液をポンプ等で循環供給するラインに３００〜３５０ｎｍの吸光度により濃度測定を可能とする分光式濃度計を具備しインラインで濃度測定を行う方法。
【図面の簡単な説明】
【図１】  過硫酸アンモニウム水溶液の分解により濃度変化を滴定法と分光式濃度計で測定し比較したものであり時間の経過により分光式濃度計で測定した値がずれていることを示す。
【図２】  １、５、１０、２０ｗｔ％過硫酸アンモニウム水溶液を３２０ｎｍおよび１１４６ｎｍの吸光度による分光式濃度計で測定した結果であり３２０ｎｍで測定した結果が正確であることを示す。
【図３】  ２０、３０、４０ｗｔ％過硫酸アンモニウム水溶液を３２０ｎｍおよび１１４６ｎｍの吸光度による分光式濃度計で測定した結果であり３２０ｎｍで測定した結果が正確であることを示す。
【符号の簡単な説明】
【図１】
2012194166.tif 000003
【図２】
2012194166.tif 000004
【図３】
2012194166.tif 000005
(57)【要約】【課題】人の見る方向によって視覚の認知を大きく変化させ、人と広告媒体との関係性と、そこにおける三次元空間的価値を見出すことを可能とする広告媒体を提供する。【解決手段】表示用紙１に顔情報２、３（広告情報）が配置され、その広告情報に折版加工が施されている。このように折版加工を施すことで、人が正面、上方、下方から広告情報を見たときの視覚の認知を大きく変化させることができる。【選択図】図１
2012194234.tif 000002
【特許請求の範囲】
【請求項１】
二次元表示体の表面に広告情報が配置され、その広告情報に折版加工が施されていることを特徴とする広告媒体。
【発明の詳細な説明】
【技術分野】
【０００１】
本発明は、視覚の認知変化が可能な広告媒体に関する。
【背景技術】
【０００２】
特許文献１には、ポスター等に変化を与えて広告、宣伝を一層印象的な効果を持たせる表示用紙およびその表示方法が記載されている。特許文献２には、立体感を有する絵画の製造方法が記載されている。
【先行技術文献】
【特許文献】
【０００３】
【特許文献１】特開平１０−１８７０３９号公報
【特許文献２】特開平０９−２３５０００号公報
【発明の概要】
【発明が解決しようとする課題】
【０００４】
上記特許文献に記載の技術では、従来の広告媒体に対して、新たにフィルム、シールもしくは台紙を積層させることで表示の変化、光の透過による立体感を表現しているが、これらは広告媒体に変化、立体感を付加させているのみであり、人が対象を認知する際の位置、方向が考慮されておらず、人と二次元である広告媒体との関係性と、そこにおける三次元空間的価値が見失われている。
【０００５】
本発明は上記点に鑑みてなされたもので、人の見る方向によって視覚の認知を大きく変化させ、人と広告媒体との関係性と、そこにおける三次元空間的価値を見出すことを可能とする広告媒体を提供することを目的とする。
【課題を解決するための手段】
【０００６】
上記目的を達成するため、請求項１に記載の発明では、二次元表示体の表面に広告情報が配置され、その広告情報に折版加工が施されている広告媒体を特徴とする。
【０００７】
このように広告情報に折版加工を施すことで、人の見る方向によって視覚の認知を大きく変化させ、人と広告媒体との関係性と、そこにおける三次元空間的価値を見出すことが可能となる。
【図面の簡単な説明】
【０００８】
【図１】本発明の一実施形態に係る広告媒体の構成を示す図である。
【図２】広告媒体を正面から認識した状態を示す図である。
【図３】広告媒体を上方から認識した状態を示す図である。
【図４】広告媒体を下方から認識した状態を示す図である。
【発明を実施するための形態】
【０００９】
図１（ａ）に示すように、表示用紙１に施された山折り線４と谷折り線５に対し、顔情報２が有する目、鼻、口がいずれかの線を通過するように顔情報２を配置する。また、顔情報３も同様に配置するが、目、鼻、口を顔情報２の目、鼻、口が通る山折り線４と谷折り線５と反転して使用するようにずらす（顔情報２の目の位置と顔情報３の目の位置が山折り線４と谷折り線５とで異なり、鼻、口もそれに合わせて互いにずれるようにする）。なお、表示用紙１には、顔情報２、３以外にも、図示してないが、他の顔情報や文字情報などが印刷されている。
【００１０】
そして、山折り線４と谷折り線５を折り、山折り６と谷折り７を作る。つまり、顔情報２、３が配置された箇所に折版加工を施す。このことで、人が顔情報２、顔情報３を正面、上方、下方から認識した際（図２、図３，図４参照）に、それらの表示の変化を確認することができる。これにより、人が顔情報２、顔情報３を認識する位置、方向によって視覚情報が変化することから、人と広告媒体の関係性を築き、そこに空間利用価値を見出すことを可能としている。
【００１１】
上記した実施形態によれば、二次元平面への印刷表示に折版加工を施すことのみで、人が正面、上方、下方から見たときの視覚の認知を大きく変化させることができる。つまり、規制の二次元広告では人の見る方向が変化しても人の視覚情報は大きく変化しないのに対して、本実施形態では広告媒体に折版加工を施すことで、視覚の認知を大きく変化させることができる。また、広告を掲示する三次元空間と対応させることで、視覚の認知を変化させることができる。例えば、折り返し階段の踊り場に広告を掲示することで、昇る時と降りる時の人の視覚の認知を変化させることができる。
【００１２】
なお、上記した実施形態では、二次元表示体として表示用紙１を示したが、紙以外の構成体であってもよい。また、広告情報としては顔情報以外のものであっても勿論よく、アルファベット等の文字情報であってもよい。さらに、表示用紙１に折版加工を複数施すようにしてもよい。
【図１】
2012194234.tif 000003
【図２】
2012194234.tif 000004
【図３】
2012194234.tif 000005
【図４】
2012194234.tif 000006
(57)【要約】【課題】従来のエアレスパウチやエアレスチューブでは、パウチやチューブにスパウトを装着しなければエアレスポンプを装着できなかった。また、スパウト部の製作や装着には多くの製造工程と設備が必要であり、更に、スパウト成形用金型も高価であるためコストダウンが困難であった。【解決手段】様々な形状のパウチに直接差込み口を成形し、エアレスポンプだけではなく、一般のポンプやスプレーなどを差込むことでエアレスパウチとしての機能をもたせることができるよう改善した。また、パウチの製造工程内で差込口を成形することで大幅に製造工程を削減することができた。さらに、ポンプやスプレーの形状が変わる場合でも、スパウト成形用金型に比べポンプ差込口成型用ヒートシール板は遥かに安価で製作できようになった。これらの改善により、小ロット、低価格での提供を可能にした。【選択図】図２
2012101525.tif 000002
【特許請求の範囲】
【請求項１】
パウチにポンプ差込口を成形する装置を設けた製造方法とそのパウチ。
【発明の詳細な説明】
【技術分野】
【０００１】  本発明は、様々な形状のパウチにポンプ差込口を成形し、エアレスポンプ、又は、一般のポンプやプレーを差込んでも、エアレス効果のあるパウチとして用いることを可能にした製造方法に関する。
【背景技術】
【０００２】  従来の製造方法では、別工程で成形したスパウト部品をパウチ、又は、チューブに装着し、ヒートシールでスパウト部を固定する。内容物はスパウト部から充填し、キャップを閉めて密閉する。以下、図５に従来の製造工程図を示す。【０００３】  スパウト部のキャップを取り外し、エアレスポンプを装着し使用する。以下、図６に従来の使用方法図を示す。
【発明の概要】
【発明が解決しようとする課題】
【０００４】  上記に述べた従来の製造方法では、エアレスポンプを使用しなければエアレス効果は得られなかった。更に、スパウト部品を成形するためにインジェクション成形用の金型を製作してスパウト部品を成形し、パウチ、又は、チューブに装着し、ヒートシールも必要であった。更に、エアレスポンプの太さや形状が異なる場合は、成形用金型を別に製作する必要があるため、低価格の製品を提供することが困難であった。【０００５】  本発明は、インジェクション成形部品を使用せずに、様々な形状のパウチに差込口をヒートシール成形し、エアレスポンプ、一般ポンプ、スプレーを直接差し込むことでエアレスパウチとして使用可能にすることを目的とするものである。
【課題を解決するための手段】
【０００６】そして、本発明は上記目的を達成するために、製造工程でパウチ上部にポンプ差込口を成形する装置を設けたものである。【０００７】  また、第２の課題解決手段は、パウチにホンプやスプレーを差し込んだ後、ポンプ動作中にパウチ内が減圧し続け、動作の停止中は外部からの空気の侵入を防ぐことができる差込口形状を設計したものである。【０００８】  更に、安定した状態で使用できるケースを設計し、そこに、ポンプ差込式エアレスパウチを固定したものである。
【発明の効果】
【０００９】  上述したように本発明のポンプ差込式エアレスパウチ製造方法は、様々な形状のパウチにポンプ差込口を成形し、直接エアレスポンプ、一般ポンプ、スプレーを差し込むだけでエアレスパウチとして使用でき、使用時には、内容物の減少と共にパウチが変形することで、真空に近い状態で内容物の酸化や劣化を防止する効果を持つ、更に、内容物の残量を減量する効果がある。【００１０】  また、従来品に対し、詰め替え用パウチと同程度の工程で製造できるので、低価格の製品を提供することができる。
【図面の簡単な説明】
【００１１】
【図１】  本発明のパウチ製造工程図
【図２】  本発明のパウチ充填工程図
【図３】  本発明のパウチ使用方法図
【図４】  本発明のケース使用方法図
【図５】  従来品、製造工程図
【図６】  従来品、使用方法図
【発明を実施するための形態】
【００１２】  以下、本発明の実施の形態を図１に基づいて説明する。
【００１３】  図においては、１は三方シールパウチを製造するフィルムの流れ方向を示し、２、３のフィルムを合わせて４と５のヒートシールバーで熱溶着し、６で切断し７で三方シールパウチとなる。
【００１４】  ８はスタンディングパウチを製造するフィルムの流れ方向を示し、９、１０のフィルムを合わせ、中間に１１の底材を入れ、１２と１３のヒートシールバーで熱溶着し、１４で切断し１５でスタンディングパウチとなる。
【００１５】  １６はガゼットパウチを製造するフィルムの流れ方向を示し、１７、１８のフィルムを合わせ、中間に１９と２０の横材を入れ、２１と２２のヒートシールバーで熱溶着し、２３のポンプ差込口成型用ヒート−シール板でポンプ差込口を成型し、２４で切断し２５でガゼットパウチとなる。
【００１６】  以下、本発明のパウチ充填工程を図２に基づいて説明する。
【００１７】  １、２、３はパウチに内容物を充填する位置を示す。
【００１８】  ４，５はポンプ差込口成型用ヒート−シール板でポンプ挿入口を成型し、６はヒートシールバーで熱溶着し、ポンプ差込式エアレスパウチとなる。
【００１９】  以下、本発明のパウチ使用方法を図３に基づいて説明する。
【００２０】  １、２、３で切り取り線に沿ってパウチの上部を切り取る。
【００２１】  ４、５、６のパウチに成型されたポンプ差込口からポンプやスプレーを差込む。
【００２２】  ７、８、９でポンプやスプレーの動作と共にパウチ内部が減圧し、内容物が減量するに従いパウチが変形し密着する。
【００２３】  以下、本発明のケース使用方法を図４に基づいて説明する。
【００２４】  １はケースにパウチを固定するための溝を設けた。
【００２５】  ２はケースにパウチを固定するポンプの位置を示す。
【００２６】  パウチを３の方向へ移動し、ケースに設けた溝に差込み使用する。
【図１】
2012101525.tif 000003
【図２】
2012101525.tif 000004
【図３】
2012101525.tif 000005
【図４】
2012101525.tif 000006
【図５】
2012101525.tif 000007
【図６】
2012101525.tif 000008
(57)【要約】      （修正有）【課題】ダクティッドファンの評価には計測冶具やセッティングにコストがかかり、簡易的に行う事ができない上、静止推力しか計測できないので、飛行中の推力や本来モータが持っている性能が出力されるかどうかの測定が出来ない。また、入力に対して出力の関係が簡潔に把握できないのでダクティッドファンの性能を正しく判定できず、評価が難しい。入力電力から推力を導くフィードフォワードの全く新しい推力計測方法を提案する。【解決手段】推力が入力電力と比例する事を発見した。ダクティッドファンの推力が入力する電力と比例する一次の関係である事が確かめられたので、入出力の関係が簡潔に把握できる。【選択図】図２
2012101598.tif 000002
【特許請求の範囲】
【請求項１】
推力が入力電力と比例する事を応用したダクティッドファンの評価方法  
・  ティーチング等のアルゴリズム
・  評価基準となる推力と電力の一次関係式を導き、特徴量として評価に用いる事 
*具体例*
・  予め内臓したマッピングデータやデフォルトのティーチングによって、
推力値を指示し負荷状態の診断や、ダクティッドファンの性能評価を行うこと。
・  動的推力の指示。
・  理想的な推力特性を、評価基準（閾値）として設定し、
この評価基準でダクティッドファンの評価を行う事ができるようにしたもの。
【請求項２】
請求項１の内容を具備した装置。  
・  推力計
・  負荷診断装置
・性能・特性診断装置
【請求項３】
この発明によって効果を定量的に評価できる点が特徴となるダクティッドファン
を高性能にする装置と工夫、以下4点のいずれか、または組合わせたものを
装備すること。
・  インテークリップ機能
内側の絞り形状がベンチュリー管効果同様に流速を加速し入力抵抗を低減する装置。
・  インペラー形状
先端部の負荷を強くする事でインテークリップ機能との相乗効果を与える工夫。
・  絞り機能
インペラ後方の圧力を増加させ、かつ噴射速度を上げる事で推力を増加させる装置。
・  液体噴射機能
液体を出力の流速に噴射する事で、推進効率を増加させる装置。
【発明の詳細な説明】
【技術分野】
【０００１】
この発明考案は、電動モータ式・ダクティッドファンにおける
評価・測定方法と推進効率向上に関する。
【背景技術】
【０００２】
従来の電動式ダクティッドファンの技術において、充分な性能評価を
できる方法や機器がない。その推力のみを計測する方法としては
次に示すようなものがある。
【０００３】
・  台秤に櫓状のものを立ててダクティッドファンを取り付け、秤に推力を
押し付ける方法。
【０００４】
・  計器に滑車や張線を取付け、その張線を引いて秤で計測する方法。
【先行技術文献】
【特許文献】
【０００５】
【特許文献１】特開2010-132280号公報
【特許文献２】特開2005-145264号公報             従来のダクティッドファンの構造、技術に関するものとしては垂直離着陸無人航空機機体構造として、特開2010-132280      特開2005-145264では、空気導入リップ部の制御で、推力や姿勢制御を行うといった技術が公開されている。
【発明の概要】
【発明が解決しようとする課題】
【０００６】
従来の方法にあっては、フィードバック方式とあって計測冶具やセッティングに
手間やコストがかかり、簡易的に行う事ができない上、静止推力のみの計測
なので飛行中の推力や本来モータが持っている性能が出力されるかどうかの測定が
出来ない。  また、入力に対して出力の関係が簡潔に把握できないので効率等、
ダクティッドファンの性能を正しく判定できず、評価が難しいという課題がある。
【課題を解決するための手段】
【０００７】
推力が入力電力と比例する事を発見した。
ダクティッドファンの推力が入力する電力と比例する一次の関係である事を
利用すれば、入出力の関係が単純に把握できる。
【０００８】
入力電力から推力を導くフィードフォワードの全く新しい推力計測方法。
【発明の効果】
【０００９】
入力に対して出力の関係が単純に把握でき、電力から推力が導かれるので、
電力計器に推力計測モードを搭載可能であり、安価でかつこれまで
考えられなかったような応用ができる。
【００１０】
例えば、静止推力のみならず、飛行中の動的推力の診断、負荷状態の診断、
ダクティッドファンの性能診断、推進装置の評価（効率等）が
電力計器のアプリケーションとして搭載され得る。
（図１）動的推力の診断例。
【図面の簡単な説明】
【００１１】
【図１】動的推力の診断例。（推力が電力に比例する事を応用）
【図２】推力と電力の関係式を導くため統計的に求めた例。
【図３】高性能EDFの構造。（aは側面、bは正面からの概念図）  入り口のインテークリップ、インペラの形状と出口の絞り構造。
【００１２】
液体噴射装置。（加速装置）
【発明を実施するための形態】
【００１３】
電力計器に新しい機能として搭載する。
【実施例】
【００１４】
電力機器に、電力に対応する推力をティーチングさせ電力-推力マッピングを
作成し、メモリーさせる事で多彩な評価機能を持たせる。
【００１５】
最小・最大値のみをセットすれば比例的特性を生かした計測制御が可能。
【００１６】
マニュアルティーチングの他、推力計と連動させる機能等の応用も可能であり
絶対的、相対的な評価基準となり得る電力-推力マップを具備しておれば
それを基準にして自動的な評価判定も可能である。
【００１７】
静止推力のみならず、動的推力の判定も可能。（図１）参照。
また、マッピングの勾配は効率（ｇ/W）を表すものであるから、電気エネルギー
推進器の推進効率の評価も可能である。
【産業上の利用可能性】
【００１８】
電気エネルギー推進器の評価装置として開発、評価テストの際にも
有用なアイテムとなり得る。
【００１９】
動的推力測定や効率計測に関しては、特に効果がある。
【符号の説明】
【００２０】
1.インテークリップ
２．インペラ
３．シュラウド
４．絞り
５．液体タンク
【図１】
2012101598.tif 000003
【図２】
2012101598.tif 000004
【図３】
2012101598.tif 000005
(57)【要約】【課題】  本発明は、左右同一形状（右左のない靴）の靴に、専用中敷（右左有り）をセットして履き、靴の踵の磨り減り状況を管理しながら左右本体靴をチエンジすることで常に踵の磨り減りを均一化させながら長期間履くことができるように工夫した靴踵の左右磨り減り具合を均一にする靴を提供する。【解決手段】    左右の同一形状の靴本体（１）と専用中敷（２）にアンコクッション部（３）を設けたことを特徴とする靴踵の左右の磨り減り具合を均一にする靴。【選択図】図１
2012101022.tif 000002
【特許請求の範囲】
【請求項１】
左右の同一形状の靴本体（１）と専用中敷（２）にアンコクッション部（３）を設けたことを特徴とする靴踵の左右の磨り減り具合を均一にする靴。
【発明の詳細な説明】
【技術分野】
【０００１】  本発明は、左右の同一形状（右左のない靴）の靴本体に、専用中敷（右左有り）をセットして履き、靴の踵の磨り減り状況を管理しながら左右の靴本体をチエンジすることで常に踵の磨り減りを均一化させながら長期間履くことができるように工夫した靴踵の左右の磨り減り具合を均一にする靴に関するものである。
【背景技術】
【０００２】  従来の靴本体は、左右が決まっていた。
そのため、履いているとき踵の磨り減り状態が部位的に同じところのみ進行し、ある限度を超えると取り替えなければならなかった。
【発明の概要】
【発明が解決しようとする課題】
【０００３】  この発明は、左右の同一形状の靴本体に、専用中敷を入れ替え、交換だけで靴の踵が均一な磨り減り方をさせて通常より長持ちさせるための発明である。
よって磨り減り管理をこまめにして履いていれば長期間履くことができる。
【課題を解決するための手段】
【０００４】  左右の同一形状の靴本体（１）と専用中敷（２）にアンコクッション部（３）を設けたことを特徴とする靴踵の左右の磨り減り具合を均一にする靴。
【発明の効果】
【０００５】  靴の踵の日常磨り減り管理をこまめにすればするほど、従来の靴より長期間履くことができるエコシユーズ靴ある。
【図面の簡単な説明】
【０００６】
【図１】  本発明の使用状態を示した平面図である。
【図２】  本発明のＡ−Ａ断面図である。
【図３】  本発明のＢ−Ｂ断面図である。
【図４】  本発明の斜視図である。
【発明を実施するための形態】
【０００７】  以下、本発明の形態について説明する。
左右の同一型の靴本体（１）に専用中敷（２）とアンコクッション部（３）を設ける。
本発明は以上のように構成された靴踵の左右磨り減り具合を均一にする靴である。
本発明の靴を履き始めてから数十日間履いた時点で靴の踵の磨り減り状況を確認して、本体靴を左右を交換し、専用中敷を入れ替えすれば良い。
【符号の説明】
【０００８】    １  靴本体
２  専用中敷
３  アンコクッション部
【図１】
2012101022.tif 000003
【図２】
2012101022.tif 000004
【図３】
2012101022.tif 000005
【図４】
2012101022.tif 000006
(57)【要約】【課題】  現在、日本国内のあらゆる製品品質は、極めて良質でデザインも良好であり、差別化が、非常に困難になっている。  したがって、日本の製品に、特別にブランド力を付け、自社の商品を、印象付ける事は、非常に困難である。  毛筆、化粧用筆、刷毛も同様である。【解決手段】  近年のパワースポットの流行、占いブームを利用し、高名な神社仏閣で、商品を厄払いや、祈祷をし、厄除け、祈祷をした物である事を、ロゴや、証明書で明示する。  こうする事で、使用時の気分的良好感を増し、付加価値を創出する。又、贈り物等にも、付加価値を増す。【特許請求の範囲】
【請求項１】
厄除けや、祈祷を施し、ロゴ及び証明書、その他証明できる方法で厄除けや祈祷を、明示した化粧用筆及び刷毛。
【請求項２】
厄除けや、祈祷を施し、ロゴ及び証明書、その他証明できる方法で厄除けや祈祷を、明示した毛筆及び刷毛。
【請求項３】
厄除けや、祈祷を施し、ロゴ及び証明書、その他証明できる方法で厄除けや祈祷を、明示した絵画用筆及び刷毛。
【発明の詳細な説明】
【背景技術】
【０００１】  現在、国内生産の毛筆・化粧筆・刷毛は高い品質であり商品の差別化が、非常に困難になっている。
したがって、特別にブランド力を付け、自社の商品を、印象付ける事は、非常に困難である。
【発明の実施例】
【０００２】  近年のパワースポットの流行、占いブームを利用し、高名な神社仏閣で、毛筆、化粧用筆、刷毛を厄払いや祈祷をし、厄除け、祈祷をした物である事を、ロゴや、証明書で明示する。
こうする事で、使用時の気分的良好感を増し、付加価値を創出する。又、贈り物等にも、付加価値を増す。
【０００３】  誕生日や、記念日・ホワイトデーの贈り物などで、男性が女性に贈る物の選択は、非常に困難を極める。そこで、厄除けや、祈祷を施した化粧用筆、刷毛をホワイトデー用の贈答品に仕立て上げる。
【０００４】  習字の授業が、学校で減少したり無くなってしまった事や、電子メールでの通信が一般化する中、毛筆の需要も減少し、中国製等の安価な製品にも市場を奪われている現状を神社仏閣の縁起物等の一つにして販売する事で、付加価値を付けて収益増に転換する。
【０００５】  販売方法は、インターネットの活用。全国各地の神社仏閣の厄除け、縁起物品目の一つとして販売。全国各地の美容院での販売。全国各地で活躍する占い師を通して宣伝する。
【０００６】  ホワイトデーの贈答品として世の中に習慣化定着化する為の宣伝方法として、漫画、コミックス、アニメ、エッセイ、小説、雑誌等のメディアミックスで、行う事で、日本国内はもとより、海外での日本の漫画ブームにより海外にも宣伝効果を見込める。
【発明の効果】
【０００７】（１）、ホワイトデー、誕生日の贈答品として男性が購入しやすくなる。
衣料品、アクセサリーも喜ばれるが、デザイン色等で好みが個々人にあるので、贈答品としては、選択に困難を極める。そこで、花束等しか、安全な贈答品として望め無くなるが、毎日使用する物で購入したいが高額で購入に躊躇している女性もまだまだ数多く存在している現状で、デザイン、色等に余りこだわらずに選択できる贈答品として、打って付けの物として確立できる。
（２）、誕生日バレンタインデー等において、自分へのご褒美として女性が購入する。
（３）、毎日の化粧時に、特別な安心感を持たせる事ができる。
【０００８】  年賀状等の特別な書面を書くのにお祓いや、祈祷がされている事で縁起の良さと言う特別な感覚を感じさせる事ができる。